(57)【要約】【課題】着脱動作が容易に行うことができるグリップベルトを提供するものである。また、グリップベルトを備えた撮像装置を提供するものである。【解決手段】本体１１との間の空間１６に使用者の手を挿入可能なグリップベルトであって、一方の端部が本体１１に固着され、他方の端部が本体１１に遊貫係合され、両方の端部間の長さは使用者の手を支持可能な長さを有するグリップベルト部１４ａと、グリップベルト部１４ａの他方の端部に配され、少なくとも使用者の手で把持可能な大きさの開口部１４ｅを有するハンドストラップ部１４ｂとを備え、ハンドストラップ部１４ｂは、グリップベルト部１４ａに対して着脱可能に構成している。【選択図】図１
2007174527.tif 000002
【特許請求の範囲】
【請求項１】
電子機器本体に一端を固着する固着部と他端を遊貫係合する係合部とで橋架され、前記電子機器本体と当該電子機器本体に対向する対向面との間に電子機器を使用する使用者の手のひらが挿着する空間部を構成するベルト部と、
前記係合部を貫通した前記他端に連設され、前記使用者の手のひらが遊挿状態で挿通する環状部と、
前記ベルト部と前記環状部とが相対向する対向面どうしを面接触させた第１の状態と、前記対向面どうしを離脱させた第２の状態とを形成する取付部とを備えることを特徴とする把持装置。
【請求項２】
前記環状部は、前記第１の状態の時、前記ベルト部に面接触する接触面を外面とする第１の環状部と、前記手のひらの遊挿状態で前記第１の環状部に対向する第２の環状部とを備え、
前記取付部は、前記ベルト部と前記第１の環状部の接触面に備えた面ファスナーである請求項１記載の把持装置。
【請求項３】
前記固着部と前記係合部とは、前記電子機器本体の相隣接する側面に形成する請求項１記載の把持装置。
【請求項４】
前記固着部と前記係合部とは、前記電子機器本体の相対向する側面に形成する請求項１記載の把持装置。
【請求項５】
前記電子機器が光学画像を入射するレンズ部を備えた撮像装置であって、
請求項１〜４いずれか１項に記載の把持装置の前記ベルト部を、前記光学画像が前記レンズ部を介して入射する前記電子機器本体の前側面に連設する側面に対向するように配置したことを特徴とする撮像装置。
【請求項６】
前記固着部を、前記前側面または当該前側面と前記ベルト部が対向するベルト対向側面との境界部近傍の何れかに備え、
前記係合部を、前記前側面に対向する後側面または前記後側面と前記ベルト対向側面との境界部近傍の何れかに備える請求項５記載の撮像装置。
【発明の詳細な説明】
【技術分野】
【０００１】
本発明は、ビデオカメラなどの撮像装置に搭載される把持装置に関する。また、そのような把持装置を搭載した撮像装置に関する。
【背景技術】
【０００２】
ビデオカメラなどの撮像装置に搭載されるグリップベルトは、ユーザーが撮像装置で撮影を行っている時に、ユーザーの手をサポートして安定した撮影を行える機能に加えて、ハンドストラップの機能を兼ね備えたものが登場している。
【０００３】
「グリップベルト機能」とは、例えばユーザーが手の平側で撮像装置を把持した際に、グリップベルトが手の甲側を支持して、ユーザーが撮像装置を安定して把持可能にする機能である（例えば、特許文献１の図９参照）。以下、ユーザーが、グリップベルト機能により撮像装置を把持している状態を「グリップベルト状態」と称する。
【０００４】
また、「ハンドストラップ機能」とは、グリップベルトの長手方向略中央に環状部を形成し、グリップベルトの一方の端部を撮像装置に対して着脱可能とすることで、グリップベルトの一方の端部を撮像装置から取り外し、ユーザーが環状部を手で把持することで、運搬しやすくする機能である（例えば、特許文献１の図３参照）。以下、ユーザーが、ハンドストラップ機能により撮像装置を把持している状態を「ハンドストラップ状態」と称する。
【０００５】
以下、従来の把持装置について、特許文献１を引用して説明する。なお、以下の説明では、グリップベルトを把持装置の一例に挙げて説明する。
【０００６】
図５〜図８は、従来の把持装置の外観構成を示す斜視図である。図５及び図８は、グリップベルト状態を示している。図６は、図５の状態からグリップベルト本体の一方の端部を電子機器から取り外した状態を示している。図７は、ハンドストラップ状態を示している。
【０００７】
図において、ビデオカメラ本体２は、電子機器の一例を示しており、少なくとも撮影時は片手で保持可能な構成となっている。グリップベルト本体１は、ビデオカメラ本体２の側面に配され、帯状で、柔軟性がある材質（布やゴムなど）で構成されている。また、グリップベルト１の第２の端部４は、ビデオカメラ本体２の側面（把持面２ａの側方下端）に、着脱できないように固定され、第１の端部３側はビデオカメラ本体２に対して着脱自在になっている。第１の面ファスナー７は、グリップベルト本体１の第１の端部３近傍に配されている。第２の面ファスナー８は、グリップベルト本体１の長辺方向略中央に配され、第１の面ファスナー７と第２の面ファスナー８とは互いに着脱自在に構成されている。
【０００８】
挿通部５は、グリップベルト本体１に配され、グリップベルト本体１を挿通可能な開口を備えている。また、挿通部５は、ビデオカメラ本体２に対して着脱自在となっている。また、挿通部５には、突起部６を挿入及び係合可能な係合穴が設けられている。さらに、挿通部５には、挿通部５と突起部６とを離間させる際に、ユーザーが挿通部内のロックを解除させるための操作部５ｂが設けられており、挿通部５と突起部６との係合及び係合解除時に回動するように構成されている。なお、係合解除時は操作部５ｂをユーザーが指で回動操作することで、係合状態が解除し、突起部６と挿通部５とを係合解除し離間させることができる。
【０００９】
突起部６は、ビデオカメラ本体２においてグリップベルト本体１を着脱する位置（第２の端部４が固定された部位から離間した位置）に設けられ、挿通部５が着脱可能に構成されている。
【００１０】
以下、動作について説明する。
【００１１】
まず、図５に示すように、グリップベルト本体１の第２の端部４は、ビデオカメラ本体２に対してビスなどで固定されており、第１の端部３は、予め突起部６に係合させた挿通部５に設けられた開口に挿入され、第１の端部３は第１の面ファスナー７を矢印Ａのように、グリップベルト本体１の第２の面ファスナー８に付着させることにより、グリップベルト本体１が挿通部５から脱落することなく保持されている。このようにしてできた状態を「グリップベルト状態」とし、具体的な使用例は図８のようになる。着脱可能な挿通部５は、ビデオカメラ本体２に固定された突起部６（図６参照）に係合保持されており、ベルト本体から外方へ力が加わっても突起部６から外れることなく保持されている。
【００１２】
なお、グリップベルト本体１は図５に示す状態において、第１及び第２の面ファスナー７及び８を離間させて、グリップベルト本体１を挿通部５の開口内を矢印Ｍ方向へ移動させて任意の長さにし、再度第１及び第２の面ファスナー７及び８を付着することで、使用者の手の大きさに合わせたグリップベルト本体１の長さを設定することができる。
【００１３】
次に、本装置をグリップベルト状態からハンドストラップ状態へ移行させる際の動作について説明する。
【００１４】
図５及び図８に示すグリップベルト状態から、図６の矢印Ｂに示すように、挿通部５と突起部６との係合状態を解除し、挿通部５と突起部６とを離間させる。
【００１５】
次に、突起部６と挿通部５との係合が解除されたことにより、図７に示すようにグリップベルト本体１は矢印Ｃ方向へ自由に移動させることが可能になる。着脱可能な挿通部５が突起部６から抜去されると、グリップベルト本体１は図７の第１の固定部４のみで固定された状態となり、この状態でベルト本体１にループ部を作り、前記ループ部に使用者の手を通すことによりハンドストラップとして使用することができる。
【特許文献１】特開２００４−２３００９４号公報
【発明の開示】
【発明が解決しようとする課題】
【００１６】
しかしながら上記従来の構成では、グリップベルト状態からハンドストラップ状態へ移行させるために、挿通部５の操作部を回動させてロックを解除した後、挿通部５を突起部６から取り外さなければならず、離脱操作が煩雑であるという問題点があった。
【００１７】
また、挿通部５における開口が小さいため、ハンドストラップ状態からグリップベルト状態へ移行させる際、突起部６を開口に挿入しにくく、挿通部５と突起部６との装着操作が煩雑であるという問題点があった。
【００１８】
本発明は、上記問題点に鑑み、容易に、グリップベルト状態またはハンドストラップへ相互に移行させることができる把持装置を提供することを目的とする。また、その把持装置を備えた撮像装置を提供することを目的とする。
【課題を解決するための手段】
【００１９】
上記課題を解決するために本発明の把持装置は、電子機器本体に一端を固着する固着部と他端を遊貫係合する係合部とで橋架され、前記電子機器本体と当該電子機器本体に対向する対向面との間に電子機器を使用する使用者の手のひらが挿着する空間部を構成するベルト部と、前記係合部を貫通した前記他端に連設され、前記使用者の手のひらが遊挿状態で挿通する環状部と、前記ベルト部と前記環状部とが相対向する対向面どうしを面接触させた第１の状態と、前記対向面どうしを離脱させた第２の状態とを形成する取付部とを備える。
【００２０】
また、本発明の撮像装置は、前記電子機器が光学画像を入射するレンズ部を備えた撮像装置であって、上述の把持装置の前記ベルト部を、前記光学画像が前記レンズ部を介して入射する前記電子機器本体の前側面に連設する側面に対向するように配置した。
【発明の効果】
【００２１】
本発明の把持装置は、グリップベルト状態からハンドストラップ状態への移行、およびハンドストラップ状態からグリップベルト状態への移行を、容易に行うことができる。
【発明を実施するための最良の形態】
【００２２】
本発明のグリップベルトは、前記環状体と前記帯状体は、互いに面ファスナーによって保持及び離脱可能である構成としてもよい。
【００２３】
（実施の形態１）
図１〜図４は、実施の形態１の把持装置が搭載されている撮像装置の外観構成を示す斜視図である。なお、以下の説明では、グリップベルト装置を把持装置の一例として挙げて説明する。
【００２４】
図１はグリップベルト状態を示し、図２はグリップベルト状態とハンドストラップ状態との間における移行中の状態を示し、図３及び図４はハンドストラップ状態を示している。
【００２５】
また、実施の形態１では、パームサイズのビデオカメラを撮像装置の一例として挙げて説明する。なお、撮像装置はビデオカメラに限らず、デジタルスチルカメラなどのように、ユーザーが片手で把持可能な装置であればよい。
【００２６】
図１において、撮像装置は、本体１１と、レンズ部１２と、ビューファインダー１３と、把持部材１４（把持装置）と、後述する固着部１５（図４参照）と、係合部１７とを備えている。
【００２７】
本体１１は、例えばビデオカメラの本体部に相当するものであり、筐体内部に電気回路基板や、テープカセット、光ディスクまたは半導体メモリーなどの情報媒体を着脱可能な機構などを備えている。なお、図１に示す本体１１は、筐体がレンズ光軸方向に横長形状であるが、縦長の形状であってもよい。また、ユーザーが撮像装置を片手で把持した際、把持面１１ａにユーザーの手の平が当接する。
【００２８】
レンズ部１２は、本体１１の把持面１１ａに直交する側面に配され、内部にレンズや撮像素子などが配されている。
【００２９】
ビューファインダー１３は、本体１１の把持面１１ａに直交し、レンズ部１２が配されている面に対向する面に配されており、内部に小型の液晶モニターが配されている。液晶モニターには、撮影中の映像や情報媒体から再生された映像などを表示させることができる。
【００３０】
把持部材１４は、本体１１の把持面１１ａに配され、大きく分けてグリップベルト部１４ａ（ベルト部）とハンドストラップ部１４ｂ（環状部）とから構成されている。
【００３１】
グリップベルト部１４ａは、把持部材１４を図１に示すグリップベルト状態にして空間１６にユーザーの手が挿入された時に、ユーザーの手の甲側を保持するものである。また、グリップベルト部１４ａの一方の端部（長手方向のレンズ部１２側）は、固着部１５において本体１１に固着されている。また、グリップベルト部１４ａの他方の端部（長手方向のビューファインダー１３側）は、係合部１７に遊貫係合されている。また、グリップベルト部１４と把持面１１ａとの間には、ユーザーの手を挿入可能な空間１６が形成されるように、グリップベルト部１４の長さや、固着部１５及び係合部１７の位置が設定されている。
【００３２】
ハンドストラップ部１４ｂは、一方の端部がグリップベルト部１４ａから連設されている。また、ハンドストラップ部１４ｂは、第１の環状部１４ｆと第２の環状部１４ｇとの２本のベルトが重ねられ、長手方向両端が縫製などで封止されて構成されている。また、両端以外部分における第１の環状部１４ｆと第２の環状部１４ｇとが対向する主面間に、環状の開口部１４ｅ（図３参照）が形成されている。
【００３３】
開口部１４ｅは、少なくともユーザーが片手で把持可能な空間を有していればよいが、手や腕を挿通可能な空間を有していれば尚好ましい。
【００３４】
また、ハンドストラップ部１４ｂの他端には、ユーザーが容易にハンドストラップ部１４ｂをグリップベルト部１４ａからの剥離させることで、グリップベルト状態からハンドストラップ状態へ移行可能なように、ツマミ１８が配されている。ツマミ１８は、樹脂成型品で構成され、ハンドストラップ部１４ｂの先端に縫製や接着などにより固定されている。
【００３５】
なお、グリップベルト部１４ａとハンドストラップ部１４ｂとは、本実施の形態では布や皮革やゴムなどで一体成形されたもので形成されているが、各々別部材で構成し、互いに縫製などで一体にした構成でもよい。
【００３６】
また、グリップベルト部１４ａにおける、空間１６を形成している面の裏面（即ち、グリップベルト部１４ａがハンドストラップ部１４ｂに係合する係合面）には、第１の面ファスナー１４ｃ（図中のハッチング部分）が配されている。また、本装置をグリップベルト状態にした時に、ハンドストラップ部１４ｂにおける、グリップベルト部１４ａと対向する第１の環状部１４ｆの面には、第２の面ファスナー１４ｄ（図中のハッチング部分）が配されている。第１の面ファスナー１４ｃは、第２の面ファスナー１４ｄに付着可能である。第１の面ファスナー１４ｃは、略長方形状を成しており、グリップベルト部１４ａの長手方向に沿って配されている。また、第１の面ファスナー１４ｃは、第２の面ファスナー１４ｄとの付着位置を任意に変えることが可能で、付着位置を変えることで空間１６の大きさを任意に変えることができる。よって、ユーザーは、第１の面ファスナー１４ｃと第２の面ファスナー１４ｄとの付着位置を任意に決めることで、ユーザーの手の大きさや腕の太さに合わせて、空間１６の大きさを任意に調節することができる。
【００３７】
固着部１５は、ビスなどの締結手段が内蔵され、グリップベルト部１４ａの端部を本体１１に固着させている。なお、固着部１５の構成は、ビスに限らず、周知の締結手段の構成でよい。
【００３８】
係合部１７は、略「コ」の字状の部材で構成され、脚部が本体１１に固定されて、把持部材１４を遊挿係合している。なお、本実施の形態では、略「コ」の字状としたが、少なくとも把持部材１４を遊挿係合可能な構成であれは、リング状など、他の形状であってもよい。また、係合部１７は、把持部材１４が本体１１から離れる方向（把持面１１ａに対して略垂直方向）に引っ張られた際に、把持部材１４に印可される力に耐えうる材質（金属など）や、固定方法で構成されている。
【００３９】
以下、動作について説明する。
【００４０】
まず、図１に示すグリップベルト状態においては、把持部材１４と本体１１との間の空間１６に、ユーザーが図中下方向から片手（例えば右手）を挿入し、手の平を把持面１１ａに対向させて位置させることで、ユーザーは片手で撮像装置を把持することができる。この時、把持部材１４は、ユーザーの手の甲を保持している。
【００４１】
一般的に、撮影時は、図１に示すグリップベルト状態で、撮像装置による撮影操作を行うことができる。ユーザーは、レンズ部１２を介して得られビューファインダー１３内の液晶モニターに表示される映像を視認しながら、撮影を行うことができる。
【００４２】
次に、グリップベルト状態からハンドストラップ状態へ移行させる場合は、図１に示すグリップベルト状態において、ツマミ１８を摘んでハンドストラップ部１４ｂを矢印Ａに示す方向へ引っ張り、図２に示すように、第１の面ファスナー１４ｃと第２の面ファスナー１４ｂとを剥離させる。これにより、ハンドストラップ部１４ｂは、グリップベルト部１４ａから連設する連設部を係合部１７及びグリップベルト部１４ａが本体１１に対して固着される固着部１５で支持されている状態になる。次に、ハンドストラップ部１４ｂを、図２に示す状態からさらに回動させることで、図３に示すハンドストラップ状態にすることができる。
【００４３】
図３に示すハンドストラップ状態では、ユーザーはハンドストラップ部１４ｂの開口部１４ｅを手で把持、または開口部１４ｅに手や腕を通すことで、撮像装置を保持することができる。
【００４４】
なお、ハンドストラップ部１４ｂの剥離方向は、図１の矢印Ａ方向であるとともに、グリップベルト部１４ａのレンズ部１２側端部が固着部１５に固着され、グリップベルト部１４ｂのビューファインダー側端部が係合部１７に遊挿係合されているため、撮像装置をハンドストラップ状態で把持した際は、図４に示す状態になる。
【００４５】
図４は、把持部材１４をハンドストラップ状態にしてユーザーが手で把持した時の撮像装置の状態を示している。図４に示すように、ユーザーがハンドストラップ部１４ｂを把持した際は、ハンドストラップ部１４ｂが上側に位置し、本体１１は下側に位置する。また、ビューファインダー部１３は上側に位置し、レンズ部１２は下側に位置し、レンズ部１２における対物レンズは下方向を向く状態になる。さらに、前述したように、把持面１１ａに対してグリップベルト部１４ａの固着部１５と係合部１７との２箇所で位置決めされた状態で本体１１を吊り下げるため、例えば図２の状態から図４の状態へハンドストラップ部１４ｂで吊り下げた場合であっても、本体１１が回動することで異物に当接したり、本体１１とバッテリーとの係合が外れたりすることを抑制できる。
【００４６】
また、図３に示すハンドストラップ状態から、図１に示すグリップベルトに移行させる場合は、図３に示すハンドストラップ部１４ｂを、係合部１７を支点に矢印Ｅ方向へ回動させ、図２に示す状態を介して、図１に示すように第１の面ファスナー１４ｃと第２の面ファスナー１４ｄとを付着させる。
【００４７】
また、ユーザーの手の大きさや腕の太さに合わせて、空間１６の大きさを調節する場合は、図１に示すグリップベルト状態からハンドストラップ１４ｂを矢印Ａ方向へ回動させて、第１の面ファスナー１４ｃと第２の面ファスナー１４ｄとを離間させる。次に、ハンドストラップ部１４ｂを、図２または図３に示す位置まで回動させて、把持部材１４を図３の矢印Ｃまたはその逆方向へ移動させて空間１６の大きさを任意の大きさに調節する。例えば、把持部材１４を図３に示す位置から矢印Ｃ方向へ移動させると、空間１６の大きさは大きくなり、矢印Ｃの逆向きの矢印Ｄ方向へ移動させると、空間１６の大きさは小さくなる。よって、ユーザーの手が大きい場合や腕が太い場合は、把持部材１４を矢印Ｃ方向へ移動させて、空間１６を大きくすればよい。また、ユーザーの手が小さい場合や腕が細い場合は、矢印Ｄ方向へ移動させて、空間１６を小さくすればよい。
【００４８】
空間１６の大きさが決まれば、図３に示すように、ハンドストラップ部１４ｂを係合部１７周りに矢印Ｅ方向へ回動させ、係合部１７を支点に折り曲げる。次に、図２の状態を介して図１に示すように、第１の面ファスナー１４ｃと第２の面ファスナー１４ｄとを互いに付着させて、空間１６の大きさの調節作業が完了する。
【００４９】
以上のように本実施の形態によれば、グリップベルト部１４ａとハンドストラップ部１４ｂとは、第１の面ファスナー１４ｃ及び第２の面ファスナー１４ｄで互いに付着可能に構成されているため、容易にグリップベルト状態からハンドストラップ状態へ移行させることができる。
【００５０】
すなわち、本実施の形態では、図１に示す状態からハンドストラップ部１４ｂを、矢印Ａに示す方向へ引っ張り、グリップベルト部１４ａから離脱させるのみで、容易に図３に示すハンドストラップ状態へ移行させることができる。なお、ツマミ１８を把持して矢印Ａ方向に引っ張ることで、ハンドストラップ部１４ｂの剥離を補助することができる。
【００５１】
また、グリップベルト部１４ａの固着部１５をレンズ部１２側の端部に設け、ハンドストラップ部１４ｂの剥離方向をビューファインダー１３の方向にしたので、図４に示すように、ハンドストラップ状態の時、ユーザーが手でハンドストラップ部１４ｂを把持して本体１１をぶら下げると、レンズ部１２が下方向を向くため、レンズ部１２に対する強い光（太陽光など）の侵入や、レンズ部１２における対物レンズへの異物（雨水などの水滴や埃など）の付着を防止することができる。
【００５２】
また、空間１６の大きさを調整する手間を、従来から変更することなく、容易にグリップベルト状態からハンドストラップ状態へ移行させる構造を実現することができる。
【００５３】
また、従来の構成では、グリップベルトを撮像装置に対して着脱可能にした構成として、樹脂成型品である挿通部５と、板金などの金属で構成されている突起部６とを備えて、互いに係合させる構成としていたため、部品点数が増加しコストアップになっていた。本実施の形態では、グリップベルト部１４ａの一方の端部を本体１１の固着部１５に固着し、他方の端部を係合部１７に遊挿係合させ、さらにグリップベルト部１４ａとハンドストラップ部１４ｂとを第１及び第２の面ファスナー１４ｃ及び１４ｄで取り付ける構成を採用した。このように構成することで、面ファスナーは従来から搭載（例えば図５の面ファスナー７及び８）していたため、係合部１７を追加するだけで、ハンドストラップ機能を備えたグリップベルトを実現することができる。
【００５４】
なお、図１において、空間１６にユーザーの手が挿入されて本体１１が把持された際、本体１１の重量などによって把持部材１４にかかる力は、把持面１１ａに対して垂直方向に離間する方向にかかり、面ファスナー１４ｃ及び面ファスナー１４ｄには把持部材１４の長手方向に引っ張られる力がかかる。一般的に面ファスナーは、付着面に対して垂直方向の付着強度よりも、水平方向（面ずれ方向）の付着強度の方が高い性質があり、前述のように面ファスナー１４ｃ及び面ファスナー１４ｄに、長手方向（即ち面ファスナーの面ずれ方向）に引っ張られる力がかかっても、面ファスナー１４ｃ及び１４ｄは容易に剥離しない。
【００５５】
なお、本実施の形態では、グリップベルト部１４ａとハンドストラップ部１４ｂとを、面ファスナーで互いに取り付ける構成としたが、面ファスナーに限らず他の取付手段で構成してもよい。
【００５６】
また、本実施の形態では、把持部材１４におけるグリップベルト部１４ａとハンドストラップ部１４ｂとを各々作製した後、両者を縫製などによって一体化させる構成としたが、単一のベルトで両者を一体的に作製してもよい。
【００５７】
また、係合部１７は、把持部材１４を矢印Ｃ方向へ移動させた際に、把持部材１４が抜け出ないような内径で構成したが、抜け出すことが可能な内径で構成してもよい。
【００５８】
また、本実施の形態では、ビューファインダー部１３は、レンズ部１２に対向する部位に配されているが、必ずしもその位置に配置させなくてもよい。すなわち、把持部材１４を図４に示すようにハンドストラップ状態にした時に、レンズ部１２が下方向を向くように構成していればよく、ビューファインダー部１３は本体１１上の如何なる位置に配置させてもよい。あるいは、ビューファインダー部１３を備えなくてもよい。
【産業上の利用可能性】
【００５９】
本発明は、グリップベルトに代表される把持装置が搭載されている機器に有用であり、その応用範囲は、例えばビデオカメラやスチルカメラなどの撮像装置などのように、少なくともユーザーにより片手で保持される機器であれば有用である。
【図面の簡単な説明】
【００６０】
【図１】本発明の実施の形態１におけるグリップベルトを備えた撮像装置の構成を示す斜視図
【図２】本発明の実施の形態１におけるグリップベルトを備えた撮像装置の構成を示す斜視図
【図３】本発明の実施の形態１におけるグリップベルトを備えた撮像装置の構成を示す斜視図
【図４】本発明の実施の形態１におけるグリップベルトを備えた撮像装置の構成を示す斜視図
【図５】従来のグリップベルトを備えた撮像装置の構成を示す斜視図
【図６】従来のグリップベルトを備えた撮像装置の構成を示す斜視図
【図７】従来のグリップベルトを備えた撮像装置の構成を示す斜視図
【図８】従来のグリップベルトを備えた撮像装置の構成を示す斜視図
【符号の説明】
【００６１】
１１  本体
１２  レンズ部
１３  ビューファインダー部
１４  把持部
１４ａ  グリップベルト部
１４ａ  グリップベルト部
１４ｂ  ハンドストラップ部
１４ｃ  第１の面ファスナー
１４ｄ  第２の面ファスナー
１４ｅ  開口部
１４ｆ  第１の環状部
１４ｇ  第２の環状部
１５  固着部
１６  空間
１７  係合部
【図１】
2007174527.tif 000003
【図２】
2007174527.tif 000004
【図３】
2007174527.tif 000005
【図４】
2007174527.tif 000006
【図５】
2007174527.tif 000007
【図６】
2007174527.tif 000008
【図７】
2007174527.tif 000009
【図８】
2007174527.tif 000010